(57)【要約】  補助アンテナアセンブリは、内蔵無線アンテナを有する電子機器、たとえば、無線起動ラップトップコンピュータ、ノートブックコンピュータ、ゲーム機、パーソナルデジタルアシスタント（ＰＤＡ）或は回路カード（たとえばＰＣＭＣＩＡカード）或は、それらの機器と共に用いるように構成された他の回路アセンブリといった電子機器、と共に用いるために提供される。補助アンテナアセンブリは、フレームによって支持されたパラサイトエレメントを含む。フレームは、ポータブルデバイスのハウジングに取付けられるように構成され、それにより、パラサイトエレメントと組込無線アンテナととが誘電結合する。パラサイトエレメントは、たとえば、外部アンテナに接続されるように構成されたカップリングエレメント及び／又はアンテナを含む。
2008516524.tif 000002
【特許請求の範囲】
【請求項１】
ハウジングに組込無線アンテナを備えた電子デバイスと共に用いる補助アンテナアセンブリであって、
パラサイトエレメントと、
前記パラサイトエレメントを支持し、前記電子デバイスのハウジングに取り付けられるように構成されたフレームと、
を含み
前記パラサイトエレメントと前記組込無線アンテナとの間で誘導結合をなすことを特徴とする補助アンテナアセンブリ。
【請求項２】
前記パラサイトエレメントは、アンテナを含むことを特徴とする請求項１に記載の補助アンテナアセンブリ。
【請求項３】
前記パラサイトエレメントは、カップリングエレメントを含むことを特徴とする請求項１に記載の補助アンテナアセンブリ。
【請求項４】
前記カップリングエレメントは、外部アンテナに接続できるように構成されていることを特徴とする請求項３に記載の補助アンテナアセンブリ。
【請求項５】
前記電子デバイスは、コンピューティングデバイスに取り付けられる無線通信回路アセンブリを含むことを特徴とする請求項１に記載の補助アンテナアセンブリ。
【請求項６】
前記無線通信回路アセンブリは、回路カードを含み、
前記無線通信回路アセンブリの前記組込無線アンテナは、前記無線通信回路アセンブリが前記コンピューティングデバイスに取り付けられた場合に該コンピューティングデバイスの外側に延びる、該回路カードの端部付近に配置され、
前記フレームは、前記回路カードの端部付近に取り付けられることを特徴とする請求項５に記載の補助アンテナアセンブリ。
【請求項７】
前記フレームは、前記組込無線アンテナを含む回路カードの少なくとも一部を内包するように構成されることを特徴とする請求項６に記載の補助アンテナアセンブリ。
【請求項８】
前記フレームは、前記回路カードの表面の保持部に係合することを特徴とする請求項６に記載の補助アンテナアセンブリ。
【請求項９】
前記電子デバイスの前記組込無線アンテナは、第１主偏波を有し、
前記パラサイトエレメントは、前記電子デバイスのハウジングに取り付けられた場合に第２主偏極を有するアンテナを含むことを特徴とする請求項１に記載の補助アンテナアセンブリ。
【請求項１０】
前記フレームは、前記組込無線アンテナに近接したハウジングの少なくとも一部を内包するように構成されることを特徴とする請求項１に記載の補助アンテナアセンブリ。
【請求項１１】
前記フレームは、前記ハウジング表面の保持部に係合することを特徴とする請求項１に記載の補助アンテナアセンブリ。
【請求項１２】
前記補助アンテナアセンブリを取り付けていない状態では、前記電子デバイスが優先的に、周波数帯にわたって無線信号を発信及び／又は受信し、
前記補助アンテナアセンブリを取り付けた状態では、前記補助アンテナアセンブリが、その周波数帯において、その発信及び／又は受信を増加させることを特徴とする請求項１に記載の補助アンテナアセンブリ。
【請求項１３】
前記補助アンテナアセンブリを取り付けていない状態では、前記電子デバイスが優先的に、周波数帯にわたって無線信号を発信及び／又は受信し、
前記補助アンテナアセンブリを取り付けた状態では、前記補助アンテナアセンブリが、その周波数帯以外の周波数で、その発信及び／又は受信を増加させることを特徴とする請求項１に記載の補助アンテナアセンブリ。
【請求項１４】
前記補助アンテナアセンブリを取り付けていない状態では、前記電子デバイスが優先的に、第１無線アプリケーションをサポートし、
前記補助アンテナアセンブリを取り付けた状態では、前記電子デバイスは、第２無線アプリケーションをサポートすることを特徴とする請求項１に記載の補助アンテナアセンブリ。
【請求項１５】
内蔵無線アンテナを備えた無線通信カードと共に用られ、電子デバイスに対して取り外し可能に装着される補助アンテナアセンブリであって、
パラサイトエレメントと、
前記パラサイトエレメントを支持し、前記内蔵無線アンテナの付近において前記無線通信カードに取り付けられるように構成されたフレームと、
を含み
前記内蔵無線アンテナと前記パラサイトエレメントとの間で誘導結合をなすことを特徴とする補助アンテナアセンブリ。
【請求項１６】
前記パラサイトエレメントは、アンテナを含むことを特徴とする請求項１５に記載の補助アンテナアセンブリ。
【請求項１７】
前記パラサイトエレメントは、カップリングエレメントを含むことを特徴とする請求項１５に記載の補助アンテナアセンブリ。
【請求項１８】
前記カップリングエレメントは、外部アンテナに接続できるように構成されていることを特徴とする請求項１７に記載の補助アンテナアセンブリ。
【請求項１９】
前記無線通信カードの前記内蔵無線アンテナは、前記コンピューティングデバイス内に実装された場合に、該コンピューティングデバイスから延びる該無線通信カードの端部近傍に配置され、
前記フレームは、前記無線通信カードの端部付近に接続されることを特徴とする請求項１５に記載の補助アンテナアセンブリ。
【請求項２０】
前記フレームは、前記内蔵無線アンテナを含む前記無線通信カードの少なくとも一部を内包するように構成されることを特徴とする請求項１５に記載の補助アンテナアセンブリ。
【請求項２１】
前記フレームは、前記無線通信カードの表面上の保持部と係合することを特徴とする請求項１５に記載の補助アンテナアセンブリ。
【請求項２２】
前記無線通信カードの内蔵無線アンテナは、第１主偏波を有し、前記パラサイトエレメントは、前記無線通信カードに取り付けられた際に第２主偏波を有するアンテナを、含むことを特徴とする請求項１５に記載の補助アンテナアセンブリ。
【請求項２３】
前記無線通信カードは、ポータブルコンピューティングデバイスに装着できるように構成されることを特徴とする請求項１５に記載の補助アンテナアセンブリ。
【請求項２４】
内蔵無線アンテナをその端部近傍に備えた無線通信ＰＣＭＣＩＡカードと共に用られる補助アンテナアセンブリであって、
パラサイトエレメントと、
前記パラサイトエレメントを支持し、前記内蔵無線アンテナの端部近傍において前記無線通信ＰＣＭＣＩＡカードに取り付けられるように構成されたフレームと、
を含み
前記内蔵無線アンテナと前記パラサイトエレメントとの間で誘導結合をなすことを特徴とする補助アンテナアセンブリ。
【請求項２５】
前記パラサイトエレメントは、アンテナを含むことを特徴とする請求項２４に記載の補助アンテナアセンブリ。
【請求項２６】
前記パラサイトエレメントは、外部アンテナに接続されるカップリングエレメントを含むことを特徴とする請求項２４に記載の補助アンテナアセンブリ。
【請求項２７】
前記ＰＣＭＣＩＡカードの内蔵無線アンテナは、第１主偏波を有し、
前記無線通信カードに取り付けられた際に前記第１主偏波に対して略直交する第２主偏波を有するアンテナを、前記パラサイトエレメントが含むことを特徴とする請求項２４に記載の補助アンテナアセンブリ。
【発明の詳細な説明】
【技術分野】
【０００１】
本発明は、無線通信装置に関し、特に、無線アンテナ装置に関する。
【背景技術】
【０００２】
ラップトップコンピュータ、ノートブックコンピュータ、ポケットＰＣ、パーソナルデジタルアシスタント（ＰＤＡ）、ゲーム機などといった、コンピューティングデバイスは、今や一般的にワイヤレス通信機能を備えている。たとえば、多くのラップトップコンピュータ及びノートブックコンピュータは、現在、たとえばＷｉＦｉネットワーク及び／又は公衆セルラネットワークと通信できるように構成された無線通信回路を内蔵している。そのような回路は、コンピュータに組込まれてもよいし、及び／又は、ＰＣカードやＵＳＢアダプタといったコンピュータに接続される回路アセンブリに提供されてもよい。同様のカード及び／又はアダプタを、他の電子デバイス、たとえばＰＤＡやコンピュータ周辺機器（たとえばプリンタ、スキャナ、など）といった機器に用いることもできる。  この種のワイヤレス通信回路は、外部無線アンテナに接続され及び／又は組込無線アンテナを含む構成となっている。たとえば、ＰＣカードの中には、剛性アンテナ及び／又はアンテナケーブルを取付けるための外部アンテナ接続端子（外部アンテナジャック）を含むものがある。また、外部アンテナ端子をもたず、内蔵アンテナを含む多くのＰＣカードも市販されている。たとえば、図１を参照すると、ソニーエリクソンモバイルコミュニケーションインク製のＧＣ−７９  ＧＰＲＳ／ＷｉＦｉ  ＰＣＭＣＩＡカード１００は、ハウジング１１０内のカード端部近傍に配置された内蔵アンテナを含んでいる。これと同様の内蔵アンテナ機構を多くのＷｉＦｉカードは有している。
【発明の開示】
【発明が解決しようとする課題】
【０００３】
この種の内蔵アンテナのサイズと位置の制約により、アンテナの性能がかなり低下する場合がある。たとえば、図２に示すように、ワイヤレスＰＣカード１００が、ノートブックコンピュータ１０に装着された場合に、カード１００のアンテナ１２０は、コンピュータ１０のＬＣＤスクリーンによって、ブロックされ、遮断される。そのブロック又は遮断により、結果として、ある方向におけるゲインが低下する。加えて、コンピュータ１０がノーマル動作位置にある場合には、アンテナ１２０の偏波は、主として水平面に存在する。しかし、信号が弱い受信不良地域では、信号偏波は、主として垂直方向となっている場合がある。この偏波のミスマッチの結果、性能が大きく低下する場合がある。
【課題を解決するための手段】
【０００４】
本発明の実施形態に係る補助アンテナアセンブリは、組込無線アンテナを備えた電子デバイスと共に用いられる。この電子デバイスとしては、たとえば、ワイヤレス通信機能を有するラップトップコンピュータ、ノートブックコンピュータ、ゲーム器、パーソナルデジタルアシスタント（ＰＤＡ）あるいは、この種の装置と共に用いられるように設計された回路カード、回路アダプタあるいは回路アセンブリが挙げられる。上記補助アンテナアセンブリは、フレームによって支持されるパラサイトエレメントを含む。このフレームは、ポータブルデバイスのハウジングに取付けられるように構成されており、これにより、パラサイトエレメントと組込無線アンテナとは、誘電結合（inductive coupling）する。パラサイトエレメントは、たとえば、外部アンテナと接続するように構成されたカップリングエレメント及び／又はアンテナを含む。一実施形態では、補助アンテナアセンブリが取付けられていない状態では、ある周波数帯の無線信号を電子デバイスが優先的に送受信し、補助アンテナアセンブリは、その周波数帯における信号の送受信を増強できる。他の実施形態では、補助アンテナアセンブリは、その周波数帯以外の周波数における送受信を増強し、そしてその結果、たとえば、電子デバイスが、他の第２無線アプリケーションをサポートする。
【０００５】
本発明のさらに他の実施形態では、電子デバイスは、コンピューティングデバイスに取り付けられるように構成された無線通信回路アセンブリを含む。ここで、無線通信回路アセンブリとしては、回路カードが挙げられるが、これは、たとえば、コンピューティングデバイスに装着された際にそのコンピューティングデバイスから外側に延びる回路カード端部近傍に無線アンテナを有す、るＰＣＭＣＩＡカードや他のコンピュータカードである。そのフレームは、回路カードの端部近傍に取付けることができる。たとえば、フレームは、組込無線アンテナを含む回路カードの少なくとも１部を内包し、及び／又は回路カードの保持部において保持される。
【０００６】
本発明の他の実施形態では、内蔵無線アンテナを有する無線通信カードと共に用いられる補助アンテナアセンブリが、パラサイトエレメントと、そのパラサイトエレメントを支持するフレームとを含む。フレームは、無線通信カードに対し、内蔵無線アンテナに隣接した位置に取付けられ、それにより、その内蔵無線アンテナとパラサイトエレメントとが誘電結合する。無線通信カードは、無線通信ＰＣＭＣＩＡカードを含み、フレームは、そのＰＣＭＣＩＡカードの端部近傍に取付けられる。これにより、内蔵無線アンテナと、パラサイトエレメントとは、誘電結合する。
【発明を実施するための最良の形態】
【０００７】
本発明の特徴的な実施形態について、以下に図面を参照しつつ説明する。しかしながら、本発明は、他の形態で実施することもでき、以下の実施形態に限定して解釈すべきではない。以下の実施形態が提供されることにより、本明細書の開示は、完全なものとなり、本発明の範囲を当業者に完全に理解させることになる。図面を参照した実施形態の詳細な説明において用いられる用語は、本発明を限定するものではない。また、図面において、同じ番号は同じ構成要素を示す。
【０００８】
本明細書では、「複数の」と記載されていなくても、「単数の」と表現していない限り、「複数」の意味をも含むものである。また、本明細書において「含む」「有する」といった言葉は、特徴、数値、工程、動作、要素及び／又は構成の存在を特定するものであり、１つ以上の他の、特徴、数値、工程、動作、要素、構成及び／又はその組合わせの存在や追加を排除するものではない。また、ある要素が他の要素に「接続」又は「係合」されると表現する場合、それは、他の要素に直接接続されたり係合されたりする場合のほか、介在する要素が存在する場合も含む意味合いである。さらに、ここで用いられる、「接続」や「係合」は、無線接続などの意味も含みうる。本明細書中、「及び／又は」は、１つ以上の列挙した項目の全てを組合わせたもの及びいずれかを組合わせたものを含む意味である。
【０００９】
違う意味で定義されていない限り、ここで用いられた全ての単語（技術用語、科学用語を含む）は、本発明が属する技術分野の当業者によって一般的に理解される意味を有する。通常用いられる辞書で定義されている単語は、関連技術文献の内容におけるそれらの意味合いと矛盾しない意味を持つものとして解釈されるべきであり、ここで明確にそのように定義されない限り、理想的な、あるいは、形式的にすぎる意味合いで解釈されるべきではない。
【００１０】
図３は、本発明の実施形態に係る、補助アンテナアセンブリ３００を示す図である。アセンブリ１００は、パラサイトエレメント３２０と、組込アンテナ１２０を含む電子デバイス１００のハウジング１１０に取付けられた支持フレーム３１０と、を含む。特に、ここでは一例として、電子デバイス１００は、コンピュータ１０に装着するように構成されたＰＣＭＣＩＡカードを含み、アンテナ１２０は、カード１００の端部近傍に位置する蛇体コンダクタを含むものとする。フレーム３１０は、基盤の形態で示されており、パラサイトエレメント３２０は、基盤によって支持され、垂直方向に向いた蛇体コンダクタを含み、垂直主偏波を提供する。つまり、その偏波は、組込アンテナ１２０のほぼ水平方向の偏波に対してほぼ直行する。しかしながら、他の電子デバイス及び／又は他のアンテナ構成にも本発明を適用可能であることは理解できるであろう。
【００１１】
図４，図５は、本発明の他の実施形態に係る補助アンテナアセンブリ４００を示す図である。アンテナアセンブリ４００は、フレーム又はハウジング４１０を含む。このフレーム又はハウジング４１０は、組込無線アンテナ１２０を内蔵するＰＣＭＣＩＡ回路カード１００の端部１１０を内包する。補助アンテナアセンブリ４００は、垂直方向に向いたスタブアンテナを含む。このアンテナは、補助アンテナアセンブリ４００が、カードに取付けられた時に、組込アンテナ１２０に対して、寄生的に（parasitically）接続される。特に、図５に示すように、補助アンテナアセンブリ４００は、そのハウジング４１０内にカップリングエレメント４２０を含む。このカップリングエレメント４２０は、補助アンテナアセンブリ４００がカード１００に取付けられた状態で、カードの組込アンテナ１２０に対し、誘電的に（寄生的に）接続されるように構成されている。カップリングエレメント４２０は、アンテナ４３０に対して導電接続される。ハウジング４１０は、回路カード１００の端部１１０上に組付けられる或は係合するように構成され、回路カード１０は、その端部１１０において、補助アンテナアセンブリ４００を保持する。
【００１２】
図６及び図７は、本発明の他の実施形態にかかる構成を有する補助アンテナアセンブリ６００を示す図である。補助アンテナアセンブリ６００はハウジング６１０を含むが、このハウジング６１０は、組込アンテナ１２０’を収容するＰＣＭＣＩＡ回路カードの端部１１０’近傍に位置するスロット１３０内にはめ込まれるように構成されている。ハウジング６１０は、アンテナ１２０’に誘電的に接続されるアンテナ６３０を支持する。特に補助アンテナアセンブリ６００は、ハウジング６１０内にカップリングエレメント６２０を含む。カップリングエレメント６２０は、補助アンテナアセンブリがカード１００’に取付けられた際にアンテナ１２０’に対して誘電接続され、アンテナ６３０に対しては導電接続される。
【００１３】
本発明の様々な実施形態として、補助アンテナアセンブリは、図４〜７に示す以外の方法で、電子デバイスのハウジングに取付けられてもよいことは、理解できるであろう。たとえば、補助アンテナアセンブリは、ベルクロテープ（Velcro tape、登録商標）、クリップ、タブ、ねじ、糸、その他取付け手段を用いて、回路カードや、他の機器に対し、取外し可能に、取付けられるように構成されていても良い。
【００１４】
図８は、図４〜７に示した内蔵アンテナとは異なる方向に向いた内蔵アンテナ１２０”を有する回路カード１００”と共に用いられる補助アンテナアセンブリ８００を示す図である。補助アンテナアセンブリ８００は、アンテナ１２０”近傍で回路カード１００”の端部を内包する（包込む）ように構成されたハウジング８１０を含む。ハウジング８１０は、補助アンテナアセンブリ８００が取付けられた場合に、アンテナ１２０”に対して誘電接続される位置に、カップリングエレメント７２０を支持する。そして、カップリングエレメント７２０は、アンテナ８３０に対して導電接続される。
【００１５】
本発明の他の側面によれば、補助アンテナ装置は、組込アンテナを有する電子デバイスと共に用いられ、パラサイトカップリングエレメントを含む。このパラサイトカップリングエレメントは、スタブアンテナのような剛性外部アンテナに対し、及び／又はフリースタンディングアンテナに取付け可能なアンテナケーブルに対し、取外し可能に接続される。たとえば、本発明の他の実施形態に係る補助アンテナアセンブリ９００は、図９に示すように、内部アンテナ１２０を収容する回路カード１００の端部を内包するように構成されたハウジング９１０を含む。補助アンテナアセンブリ９００は、さらに、パラサイトカップリングエレメント９２０を含む。このパラサイトカップリングエレメント９２０は、その補助アンテナアセンブリ９００が装着された際に、アンテナ１２０に対して誘電接続されるように構成されている。また、このカップリングエレメント９２０は、外部アンテナコネクタ９３０に対しては導電接続される。他の実施形態としては、剛性アンテナ及び／又はアンテナケーブルが、コネクタ９３０と接続されても良い。
【００１６】
本発明は、ＰＣＭＣＩＡ回路カードとは異なる他のタイプの電子デバイスに対しても適用可能である。たとえば、図１０及び図１１は、ＰＤＡ２０に対して挿入されたワイヤレス通信カード３０と共に用いられるように構成された補助アンテナアセンブリ１０００、１０００’を示している。図１０では、アセンブリ１０００はハウジング１０１０を含むが、このハウジング１０１０は回路カード３０を内包し、誘電接続されたアンテナ１０３０を支持する。この種のアセンブリは、たとえば、ＰＤＡ２０が、自動車内のような高閉塞環境で用いられる場合に利用可能である。図１１によれば、アセンブリ１０００’は、外部コネクタ１０２０に接続されるパラサイトカップリングエレメント（不図示）を含むハウジング１０１０’を備える。フリースタンディングアンテナ４０は、ケーブル５０によってコネクタ１０２０に接続される。この構成は、たとえば、ＰＤＡ２０が固定位置、たとえば乗物や建物の内部に設けられている場合に有効である。
【００１７】
補助パラサイトアンテナアセンブリの他の適用法も、本発明の範疇に含まれる。たとえば、本発明の実施形態の１つとして、補助パラサイトアンテナアセンブリは、取外し可能な回路カードあるいは他の回路アセンブリだけではなく、コンピュータや他の電子デバイスのケース内に搭載された組込無線アンテナに接続されるように構成されていても良い。さらに他の実施形態では、補助パラサイトアンテナは、他の無線デバイス、たとえば、マッサージ装置、ゲーム機、無線電話（たとえば子機）及び／又はＧＰＳレシーバと共に用いるように構成されても良い。
【００１８】
電子デバイスの性能は、本発明の様々な実施形態にかかる補助パラサイトアンテナアセンブリを利用することにより、改善できる。たとえば、この補助アンテナアセンブリを用いることにより、電圧定在波比（ＶＳＷＲ）、ゲイン、及び／又は指向性といった、送受信性能の改善を図ることができる。また、この補助アンテナアセンブリを、追加モード或は機能強化モードを提供するのに用いても良い。
たとえば、補助パラサイトアンテナの追加により、内蔵アンテナのパターンを変えることができ、これにより、そのパラサイトアンテナが無ければ減衰するような周波数帯域において、送受信性能が改善する。従って、たとえば、電子デバイスの組込アンテナが既存の無線アプリケーションをサポートするように構成されていれば、本発明の実施形態に係るパラサイトエレメントの追加は、追加的な或は代替的なアプリケーションをサポートできる。
【００１９】
以上、図面及び詳細な説明において、本発明の実施形態について開示してきた。ここではいくつかの特別な用語を用いたが、それらは、一般的で記述的な意味でのみ用いられており、特許請求の範囲によって定義される本発明の範囲を限定するためのものではない。
【図面の簡単な説明】
【００２０】
【図１】従来のＰＣＭＣＩＡ無線通信カードを示す図である。
【図２】ノートブックコンピュータに取付けられた従来のＰＣＭＣＩＡ無線通信カードを示す図である。
【図３】本発明の実施形態に係る補助アンテナアセンブリを示す図である。
【図４】本発明の実施形態に係る補助アンテナアセンブリを示す図である。
【図５】本発明の実施形態に係る補助アンテナアセンブリを示す図である。
【図６】本発明の実施形態に係る補助アンテナアセンブリを示す図である。
【図７】本発明の実施形態に係る補助アンテナアセンブリを示す図である。
【図８】本発明の実施形態に係る補助アンテナアセンブリを示す図である。
【図９】本発明の実施形態に係る補助アンテナアセンブリを示す図である。
【図１０】本発明の実施形態に係る補助アンテナアセンブリを示す図である。
【図１１】本発明の実施形態に係る補助アンテナアセンブリを示す図である。
【図１】
2008516524.tif 000003
【図２】
2008516524.tif 000004
【図３】
2008516524.tif 000005
【図４】
2008516524.tif 000006
【図５】
2008516524.tif 000007
【図６】
2008516524.tif 000008
【図７】
2008516524.tif 000009
【図８】
2008516524.tif 000010
【図９】
2008516524.tif 000011
【図１０】
2008516524.tif 000012
【図１１】
2008516524.tif 000013
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
ハウジングに組込無線アンテナを備えた電子デバイスと共に用いる補助アンテナアセンブリであって、
パラサイトエレメントと、
前記パラサイトエレメントを支持し、前記電子デバイスのハウジングに取り付けられるように構成されたフレームと、
を含み
前記パラサイトエレメントと前記組込無線アンテナとの間で誘導結合をなし、
前記電子デバイスの前記組込無線アンテナは、第１主偏波を有し、
前記パラサイトエレメントは、前記電子デバイスのハウジングに取り付けられた場合に第２主偏極を有するアンテナを含むことを特徴とする補助アンテナアセンブリ。
【請求項２】
前記パラサイトエレメントは、アンテナを含むことを特徴とする請求項１に記載の補助アンテナアセンブリ。
【請求項３】
前記パラサイトエレメントは、カップリングエレメントを含むことを特徴とする請求項１に記載の補助アンテナアセンブリ。
【請求項４】
前記カップリングエレメントは、外部アンテナに接続できるように構成されていることを特徴とする請求項３に記載の補助アンテナアセンブリ。
【請求項５】
前記電子デバイスは、コンピューティングデバイスに取り付けられる無線通信回路アセンブリを含むことを特徴とする請求項１に記載の補助アンテナアセンブリ。
【請求項６】
前記無線通信回路アセンブリは、回路カードを含み、
前記無線通信回路アセンブリの前記組込無線アンテナは、前記無線通信回路アセンブリが前記コンピューティングデバイスに取り付けられた場合に該コンピューティングデバイスの外側に延びる、該回路カードの端部付近に配置され、
前記フレームは、前記回路カードの端部付近に取り付けられることを特徴とする請求項５に記載の補助アンテナアセンブリ。
【請求項７】
前記フレームは、前記組込無線アンテナを含む回路カードの少なくとも一部を内包するように構成されることを特徴とする請求項６に記載の補助アンテナアセンブリ。
【請求項８】
前記フレームは、前記回路カードの表面の保持部に係合することを特徴とする請求項６に記載の補助アンテナアセンブリ。
【請求項１０】
前記フレームは、前記組込無線アンテナに近接したハウジングの少なくとも一部を内包するように構成されることを特徴とする請求項１に記載の補助アンテナアセンブリ。
【請求項１１】
前記フレームは、前記ハウジング表面の保持部に係合することを特徴とする請求項１に記載の補助アンテナアセンブリ。
【請求項１２】
前記補助アンテナアセンブリを取り付けていない状態では、前記電子デバイスが優先的に、周波数帯にわたって無線信号を発信及び／又は受信し、
前記補助アンテナアセンブリを取り付けた状態では、前記補助アンテナアセンブリが、その周波数帯において、その発信及び／又は受信を増加させることを特徴とする請求項１に記載の補助アンテナアセンブリ。
【請求項１３】
前記補助アンテナアセンブリを取り付けていない状態では、前記電子デバイスが優先的に、周波数帯にわたって無線信号を発信及び／又は受信し、
前記補助アンテナアセンブリを取り付けた状態では、前記補助アンテナアセンブリが、その周波数帯以外の周波数で、その発信及び／又は受信を増加させることを特徴とする請求項１に記載の補助アンテナアセンブリ。
【請求項１４】
前記補助アンテナアセンブリを取り付けていない状態では、前記電子デバイスが優先的に、第１無線アプリケーションをサポートし、
前記補助アンテナアセンブリを取り付けた状態では、前記電子デバイスは、第２無線アプリケーションをサポートすることを特徴とする請求項１に記載の補助アンテナアセンブリ。
【請求項１５】
内蔵無線アンテナを備えた無線通信カードと共に用られ、電子デバイスに対して取り外し可能に装着される補助アンテナアセンブリであって、
パラサイトエレメントと、
前記パラサイトエレメントを支持し、前記内蔵無線アンテナの付近において前記無線通信カードに取り付けられるように構成されたフレームと、
を含み
前記内蔵無線アンテナと前記パラサイトエレメントとの間で誘導結合をなすことを特徴とする補助アンテナアセンブリ。
【請求項１６】
前記パラサイトエレメントは、アンテナを含むことを特徴とする請求項１４に記載の補助アンテナアセンブリ。
【請求項１７】
前記パラサイトエレメントは、カップリングエレメントを含むことを特徴とする請求項１４に記載の補助アンテナアセンブリ。
【請求項１８】
前記カップリングエレメントは、外部アンテナに接続できるように構成されていることを特徴とする請求項１６に記載の補助アンテナアセンブリ。
【請求項１９】
前記無線通信カードの前記内蔵無線アンテナは、前記コンピューティングデバイス内に実装された場合に、該コンピューティングデバイスから延びる該無線通信カードの端部近傍に配置され、
前記フレームは、前記無線通信カードの端部付近に接続されることを特徴とする請求項１４に記載の補助アンテナアセンブリ。
【請求項２０】
前記フレームは、前記内蔵無線アンテナを含む前記無線通信カードの少なくとも一部を内包するように構成されることを特徴とする請求項１４に記載の補助アンテナアセンブリ。
【請求項２１】
前記フレームは、前記無線通信カードの表面上の保持部と係合することを特徴とする請求項１４に記載の補助アンテナアセンブリ。
【請求項２２】
前記無線通信カードの内蔵無線アンテナは、第１主偏波を有し、前記パラサイトエレメントは、前記無線通信カードに取り付けられた際に第２主偏波を有するアンテナを、含むことを特徴とする請求項１４に記載の補助アンテナアセンブリ。
【請求項２３】
前記無線通信カードは、ポータブルコンピューティングデバイスに装着できるように構成されることを特徴とする請求項１４に記載の補助アンテナアセンブリ。
【請求項２４】
内蔵無線アンテナをその端部近傍に備えた無線通信ＰＣＭＣＩＡカードと共に用られる補助アンテナアセンブリであって、
パラサイトエレメントと、
前記パラサイトエレメントを支持し、前記内蔵無線アンテナの端部近傍において前記無線通信ＰＣＭＣＩＡカードに取り付けられるように構成されたフレームと、
を含み
前記内蔵無線アンテナと前記パラサイトエレメントとの間で誘導結合をなすことを特徴とする補助アンテナアセンブリ。
【請求項２５】
前記パラサイトエレメントは、アンテナを含むことを特徴とする請求項２３に記載の補助アンテナアセンブリ。
【請求項２６】
前記パラサイトエレメントは、外部アンテナに接続されるカップリングエレメントを含むことを特徴とする請求項２３に記載の補助アンテナアセンブリ。
【請求項２７】
前記ＰＣＭＣＩＡカードの内蔵無線アンテナは、第１主偏波を有し、
前記無線通信カードに取り付けられた際に前記第１主偏波に対して略直交する第２主偏波を有するアンテナを、前記パラサイトエレメントが含むことを特徴とする請求項２３に記載の補助アンテナアセンブリ。
【手続補正書】
【提出日】平成20年2月1日(2008.2.1)
【手続補正１】
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
ハウジングに組込無線アンテナを備えた電子デバイスと共に用いる補助アンテナアセンブリであって、
パラサイトエレメントと、
前記パラサイトエレメントを支持し、前記電子デバイスのハウジングに取り付けられるように構成されたフレームと、
を含み
前記パラサイトエレメントと前記組込無線アンテナとの間で誘導結合をなし、
前記電子デバイスの前記組込無線アンテナは、第１主偏波を有し、
前記パラサイトエレメントは、前記電子デバイスのハウジングに取り付けられた場合に第２主偏極を有するアンテナを含むことを特徴とする補助アンテナアセンブリ。
【請求項２】
前記パラサイトエレメントは、アンテナを含むことを特徴とする請求項１に記載の補助アンテナアセンブリ。
【請求項３】
前記パラサイトエレメントは、カップリングエレメントを含むことを特徴とする請求項１に記載の補助アンテナアセンブリ。
【請求項４】
前記カップリングエレメントは、外部アンテナに接続できるように構成されていることを特徴とする請求項３に記載の補助アンテナアセンブリ。
【請求項５】
前記電子デバイスは、コンピューティングデバイスに取り付けられる無線通信回路アセンブリを含むことを特徴とする請求項１に記載の補助アンテナアセンブリ。
【請求項６】
前記無線通信回路アセンブリは、回路カードを含み、
前記無線通信回路アセンブリの前記組込無線アンテナは、前記無線通信回路アセンブリが前記コンピューティングデバイスに取り付けられた場合に該コンピューティングデバイスの外側に延びる、該回路カードの端部付近に配置され、
前記フレームは、前記回路カードの端部付近に取り付けられることを特徴とする請求項５に記載の補助アンテナアセンブリ。
【請求項７】
前記フレームは、前記組込無線アンテナを含む回路カードの少なくとも一部を内包するように構成されることを特徴とする請求項６に記載の補助アンテナアセンブリ。
【請求項８】
前記フレームは、前記回路カードの表面の保持部に係合することを特徴とする請求項６に記載の補助アンテナアセンブリ。
【請求項９】
前記フレームは、前記組込無線アンテナに近接したハウジングの少なくとも一部を内包するように構成されることを特徴とする請求項１に記載の補助アンテナアセンブリ。
【請求項１０】
前記フレームは、前記ハウジング表面の保持部に係合することを特徴とする請求項１に記載の補助アンテナアセンブリ。
【請求項１１】
前記補助アンテナアセンブリを取り付けていない状態では、前記電子デバイスが優先的に、周波数帯にわたって無線信号を発信及び／又は受信し、
前記補助アンテナアセンブリを取り付けた状態では、前記補助アンテナアセンブリが、その周波数帯において、その発信及び／又は受信を増加させることを特徴とする請求項１に記載の補助アンテナアセンブリ。
【請求項１２】
前記補助アンテナアセンブリを取り付けていない状態では、前記電子デバイスが優先的に、周波数帯にわたって無線信号を発信及び／又は受信し、
前記補助アンテナアセンブリを取り付けた状態では、前記補助アンテナアセンブリが、その周波数帯以外の周波数で、その発信及び／又は受信を増加させることを特徴とする請求項１に記載の補助アンテナアセンブリ。
【請求項１３】
前記補助アンテナアセンブリを取り付けていない状態では、前記電子デバイスが優先的に、第１無線アプリケーションをサポートし、
前記補助アンテナアセンブリを取り付けた状態では、前記電子デバイスは、第２無線アプリケーションをサポートすることを特徴とする請求項１に記載の補助アンテナアセンブリ。
【請求項１４】
内蔵無線アンテナを備えた無線通信カードと共に用られ、電子デバイスに対して取り外し可能に装着される補助アンテナアセンブリであって、
パラサイトエレメントと、
前記パラサイトエレメントを支持し、前記内蔵無線アンテナの付近において前記無線通信カードに取り付けられるように構成されたフレームと、
を含み
前記内蔵無線アンテナと前記パラサイトエレメントとの間で誘導結合をなすことを特徴とする補助アンテナアセンブリ。
【請求項１５】
前記パラサイトエレメントは、アンテナを含むことを特徴とする請求項１４に記載の補助アンテナアセンブリ。
【請求項１６】
前記パラサイトエレメントは、カップリングエレメントを含むことを特徴とする請求項１４に記載の補助アンテナアセンブリ。
【請求項１７】
前記カップリングエレメントは、外部アンテナに接続できるように構成されていることを特徴とする請求項１６に記載の補助アンテナアセンブリ。
【請求項１８】
前記無線通信カードの前記内蔵無線アンテナは、前記コンピューティングデバイス内に実装された場合に、該コンピューティングデバイスから延びる該無線通信カードの端部近傍に配置され、
前記フレームは、前記無線通信カードの端部付近に接続されることを特徴とする請求項１４に記載の補助アンテナアセンブリ。
【請求項１９】
前記フレームは、前記内蔵無線アンテナを含む前記無線通信カードの少なくとも一部を内包するように構成されることを特徴とする請求項１４に記載の補助アンテナアセンブリ。
【請求項２０】
前記フレームは、前記無線通信カードの表面上の保持部と係合することを特徴とする請求項１４に記載の補助アンテナアセンブリ。
【請求項２１】
前記無線通信カードの内蔵無線アンテナは、第１主偏波を有し、前記パラサイトエレメントは、前記無線通信カードに取り付けられた際に第２主偏波を有するアンテナを、含むことを特徴とする請求項１４に記載の補助アンテナアセンブリ。
【請求項２２】
前記無線通信カードは、ポータブルコンピューティングデバイスに装着できるように構成されることを特徴とする請求項１４に記載の補助アンテナアセンブリ。
【請求項２３】
内蔵無線アンテナをその端部近傍に備えた無線通信ＰＣＭＣＩＡカードと共に用られる補助アンテナアセンブリであって、
パラサイトエレメントと、
前記パラサイトエレメントを支持し、前記内蔵無線アンテナの端部近傍において前記無線通信ＰＣＭＣＩＡカードに取り付けられるように構成されたフレームと、
を含み
前記内蔵無線アンテナと前記パラサイトエレメントとの間で誘導結合をなすことを特徴とする補助アンテナアセンブリ。
【請求項２４】
前記パラサイトエレメントは、アンテナを含むことを特徴とする請求項２３に記載の補助アンテナアセンブリ。
【請求項２５】
前記パラサイトエレメントは、外部アンテナに接続されるカップリングエレメントを含むことを特徴とする請求項２３に記載の補助アンテナアセンブリ。
【請求項２６】
前記ＰＣＭＣＩＡカードの内蔵無線アンテナは、第１主偏波を有し、
前記無線通信カードに取り付けられた際に前記第１主偏波に対して略直交する第２主偏波を有するアンテナを、前記パラサイトエレメントが含むことを特徴とする請求項２３に記載の補助アンテナアセンブリ。
【国際調査報告】
2008516524.tif 000014
2008516524.tif 000015
2008516524.tif 000016